(57)【要約】      （修正有）【課題】掛けていた上掛けが睡眠中に剥がれたりずれたりするのを防止できると共に部品点数が少なくて容易に使用できしかも収納スペースも小さくて済む上掛け剥がれ防止具を提供する。【解決手段】上掛け剥がれ防止具は防止具本体１２と第１ボタンと第２ボタンから構成されている。防止具本体１２のプレート体１８は第１プレート部２０とスチール製の第２プレート部２２を蝶番２４で接続して形成されている。第１プレート部２０の先端部２０Ｂには第１バンド３０が、第１プレート部２２の先端部２２Ｂには第２バンド３２がそれぞれ取り付けられている。第１バンド３０の先端部３０Ｂには第１ボタン嵌入孔３４が、第２バンド３２の先端部３２Ｂには第２ボタン嵌入孔３６がそれぞれ形成されている。【選択図】図１
0003163382.tif 000002
【実用新案登録請求の範囲】
【請求項１】
睡眠中に上掛けが剥がれたりずれたりするのを防止する上掛け剥がれ防止具であって、身体の下に配設される防止具本体と、身体に掛けられる上掛けの一側部に設けられる第１係止体と、前記上掛けの他側部に設けられる第２係止体と、前記防止具本体の一端部に設けられると共に前記第１係止体と係止可能な第１被係止体と、前記防止具本体の他端部に設けられると共に前記第２係止体と係止可能な第２被係止体と、を有してなることを特徴とする上掛け剥がれ防止具。
【請求項２】
睡眠中に上掛けが剥がれたりずれたりするのを防止する上掛け剥がれ防止具であって、身体の下に配設される防止具本体と、身体に掛けられる上掛けの一側部に設けられる第１係止体と、前記上掛けの他側部に設けられる第２係止体と、前記防止具本体を構成するプレート体と、このプレート体の一端部に設けられると共に前記第１係止体と係止可能な第１被係止体と、前記プレート体の他端部に設けられると共に前記第２係止体と係止可能な第２被係止体と、を有してなることを特徴とする上掛け剥がれ防止具。
【請求項３】
睡眠中に上掛けが剥がれたりずれたりするのを防止する上掛け剥がれ防止具であって、身体の下に配設される防止具本体と、身体に掛けられる上掛けの一側部に取り付けられる第１係止体と、前記上掛けの他側部に取り付けられる第２係止体と、前記防止具本体のプレート体を構成すると共に折り曲げ可能に接続された第１プレート部及び第２プレート部と、前記第１プレート部の先端部に取り付けられた第１バンドと、この第１バンドに形成されると共に前記第１係止体と係止可能な第１被係止体と、前記第２プレート部の先端部に取り付けられた第２バンドと、この第２バンドに形成されると共に前記第２係止体と係止可能な第２被係止体と、を有してなることを特徴とする上掛け剥がれ防止具。
【考案の詳細な説明】
【技術分野】
【０００１】
本考案は、睡眠時に用いる上掛け剥がれ防止具であって、詳しくはタオルケット、夏掛け布団、毛布等の上掛けが睡眠時に剥がれたりずれたりするのを防止する上掛け剥がれ防止具に関する。
【背景技術】
【０００２】
冬等の寒い季節においては気温が低いので睡眠中に掛け布団等の上掛けを剥がすことはほとんどないし、例え寝相等が悪くて前記上掛けを剥がしたりずらしたりしても寒さを感じて自ら前記上掛けを掛け直して寝ているのが一般的である。
また、夏等の暑い季節においては気温が高いので掛け布団等の厚い上掛け掛けないが寝冷えや風邪等を防ぐためにタオルケット、夏掛け布団、毛布等の薄い上掛けを掛けて寝ている。
しかし、夏等の暑い季節においては気温が高いので睡眠中に無意識に前記上掛けを剥がしたりずらしたりした後でもそのままの状態で寝ている。
この結果、睡眠中に腹部周辺が冷えて寝冷えをしたり風邪をひいたりするおそれがある。
そこで、上掛けが剥がれたりずれたりするのを防止する防止具が提案されている（特許文献１）。
しかし、この防止具は布団の両側にそれぞれ重りを設けた柱等を配設する等部品点数が多くて嵩張るので前記防止具のセッティング作業や防止具の片付作業が煩雑になる。
また、前記防止具は部品点数が多くて嵩張るので未使用時には広い収納スペースが必要になるという不具合がある。
【先行技術文献】
【特許文献】
【０００３】
【特許文献１】特開２００４−８７８１号公報
【考案の概要】
【考案が解決しようとする課題】
【０００４】
本考案は、上記事実に鑑みなされたものであり、掛けていた上掛けが睡眠中に剥がれたりずれたりしてしまうのを防止することができると共に部品点数が少なくコンパクトであるため容易に使用できしかも収納スペースも小さくて済む上掛け剥がれ防止具を提供するものである。
【課題を解決するための手段】
【０００５】
請求項１の考案は、睡眠中に上掛けが剥がれたりずれたりするのを防止する上掛け剥がれ防止具であって、身体の下に配設される防止具本体と、身体に掛けられる上掛けの一側部に設けられる第１係止体と、前記上掛けの他側部に設けられる第２係止体と、前記防止具本体の一端部に設けられると共に前記第１係止体と係止可能な第１被係止体と、前記防止具本体の他端部に設けられると共に前記第２係止体と係止可能な第２被係止体と、を有してなることを特徴としている。
請求項２の考案は、睡眠中に上掛けが剥がれたりずれたりするのを防止する上掛け剥がれ防止具であって、身体の下に配設される防止具本体と、身体に掛けられる上掛けの一側部に設けられる第１係止体と、前記上掛けの他側部に設けられる第２係止体と、前記防止具本体を構成するプレート体と、このプレート体の一端部に設けられると共に前記第１係止体と係止可能な第１被係止体と、前記プレート体の他端部に設けられると共に前記第２係止体と係止可能な第２被係止体と、を有してなることを特徴としている。
請求項３の考案は、睡眠中に上掛けが剥がれたりずれたりするのを防止する上掛け剥がれ防止具であって、身体の下に配設される防止具本体と、身体に掛けられる上掛けの一側部に取り付けられる第１係止体と、前記上掛けの他側部に取り付けられる第２係止体と、前記防止具本体のプレート体を構成すると共に折り曲げ可能に接続された第１プレート部及び第２プレート部と、前記第１プレート部の先端部に取り付けられた第１バンドと、この第１バンドに形成されると共に前記第１係止体と係止可能な第１被係止体と、前記第２プレート部の先端部に取り付けられた第２バンドと、この第２バンドに形成されると共に前記第２係止体と係止可能な第２被係止体と、を有してなることを特徴としている。
【考案の効果】
【０００６】
本考案の上掛け剥がれ防止具は、睡眠中に夏掛け等の上掛けが剥がれたりずれたりするのを防止して、寝冷えや風邪をひくのを防ぐことができるという優れた効果を有する。
本考案の上掛け剥がれ防止体は、部品点数が少なくてコンパクトであるため容易に使用したり片付けたりすることができるという優れた効果を有する。
また、本考案は、部品点数が少なくてコンパクトであるため未使用時に収納しておく場合は広い収納スペースを必要としないという優れた効果を有する。
【図面の簡単な説明】
【０００７】
【図１】実施例の上掛け剥がれ防止具の防止具本体の平面図である。
【図２】実施例の上掛け剥がれ防止具の防止具本体の側面図である。
【図３】実施例の上掛け剥がれ防止具の使用状態図である。
【考案を実施するための形態】
【０００８】
考案を実施するために最良の形態の例として以下のような実施例を示す。
【実施例１】
【０００９】
図１〜図３には本考案に係る上掛け剥がれ防止具の一実施例が示されている。
実施例の上掛け剥がれ防止具１０は防止具本体１２と第１係止体としての第１ボタン１４と第２係止体としての第２ボタン１６とから構成されている。なお、この実施例では前記防止具本体１２は敷き布団１（図３参照）の下に配設され、第１ボタン１４は上掛けとしての薄いタオルケット２（図３参照）の一側部２Ａに取り付けられ、第２ボタン１６は前記タオルケット２の他側部２Ｂに取り付けられている。
図１及び図２に示されるように、この防止具本体１２を構成する長尺状のプレート体１８はスチール製の第１プレート部２０とスチール製の第２プレート部２２を接続して形成されている。これら第１プレート部２０と第２プレート部２２は第１プレート部２０の基端部２０Ａと第２プレート部２２の基端部２２Ａに取り付けられた蝶番２４を介して折り曲げ可能に接続されている。なお、この実施例では前記第１プレート部２０、第２プレート部２２の長さ寸法は７０ｃｍ、幅寸法は６ｃｍ、厚み寸法は３ｍｍに設定されている。
図１に示されるように、前記第１プレート部２０の先端部２０Ｂには第１バンド挿通部２６が貫通形成されている。また、前記第２プレート部２２の先端部２２Ｂには第２バンド挿通部２８が貫通形成されている。
図１に示されるように、前記第１バンド挿通部２６には布製の第１バンド３０が挿通されている。図２に示されるように、この第１バンド３０の基端部３０Ａは前記第１プレート部２０の先端部２０Ｂと接着等の適宜手段で固定されている。
図１に示されるように、前記第２バンド挿通部２８には布製の第２バンド３２が挿通されている。図２に示されるように、この第２バンド３２の基端部３２Ａは前記第２プレート部２２の先端部２２Ｂと接着等の適宜手段で固定されている。
図１及び図３に示されるように、前記第１バンド３０の先端部３０Ｂには第１被係止体としての第１ボタン嵌入孔３４が形成されており、前記タオルケット２の一側部２Ａに取り付けられた第１ボタン１４を留めることができるようになっている。また、前記第２バンド３２の先端部３２Ｂには第２被係止体としての第２ボタン嵌入孔３６が形成されており、前記タオルケット２の他側部２Ｂに取り付けられた第２ボタン１６を留めることができるようになっている。
【００１０】
次に、実施例の上掛け剥がれ防止具１０の作用について説明する。
実施例の上掛け剥がれ防止具１０をセッティングする場合は、最初にタオルケット２の一側部２Ａでタオルケット２を掛けた場合に寝る者の腹部周辺に対応する部分に第１ボタン１４を、タオルケット２の他側部２Ｂでタオルケット２を掛けた場合に寝る者の腹部周辺に対応する部分に第２ボタン１６を糸で縫い付ける等の適宜手段でそれぞれ予め取り付けておく。
次に、蝶番２４を介して折り曲げられていたプレート体１８の第１プレート部２０と第２プレート部２２を蝶番２４を介して直線状にし、直線状にしたプレート本体１２を敷き布団１の下に配設する。
そして、前記第１プレート部２０の第１バンド３０のボタン嵌入孔３４に第１ボタン１４を挿通させて留め、前記第２プレート部２２の第２バンド３２のボタン嵌入孔３６に第２ボタン１６を挿通させて留める。
これにより、上掛け剥がれ防止体１０のセッティング作業が終了する（図３参照）。
この状態の敷き布団１とタオルケット２で寝て睡眠中に寝相等が悪くて無意識のうちにタオルケット２を剥がそうとしたりずらそうとしても、タオルケット２は敷布団１の下に配設されて寝ている者に押えられているプレート体１８に取り付けられた第１バンド３０、第２バンド３２と係止された状態になっている。
従って、寝ている者の腹部や胸部周辺のタオルケット２は剥がれたりずれたりすることはないので腹部や胸部等が冷えて寝冷えや風邪をひくことを防止できる。
なお、上掛け剥がれ防止具１０を使用しても脚部や足部等は自由に動かすことができるので脚部や足部に掛かっているタオルケット２が剥がれたり捲れたりすることができるため、上掛け剥がれ防止具１０を使用することにより窮屈感等を与えることはほとんどないので安眠を妨げることはない。
また、前記プレート体１８はスチール製であるため寝ている者の寝相等が悪くて動いたりしても曲がったりしないので、タオルケット２の位置をセッティングした時の位置に常に保つことができる。
なお、敷き布団１の下に前記プレート体１８が配設されていても前記プレート体１８は薄いので、敷き布団１に寝た場合に違和感を覚えたりして睡眠の邪魔をすることはない。
また、前記上掛け剥がれ防止具１０は部品点数が少ないくコンパクトであるためにセッティング作業や片付け作業も容易に行うことができる。
なお、上掛け剥がれ防止具１０を使用しない場合は第１ボタン１４及び第２ボタン１６はタオルケット２に取り付けたままで問題は無く、長尺状のプレート体１８は蝶番２４で簡単に折り曲げることにより小さくコンパクトにできるので、防止具本体１２が邪魔になったり広い収納スペースを必要としたりしない。
【００１１】
なお、実施例では第１係止体としてタオルケット２の一側部２Ａに取り付ける第１ボタン１４と第２係止体としてタオルケット２の他側部２Ｂに取り付ける第２ボタン１６を示し、第１被係止体として第１ボタン嵌入孔３４と第２被係止体として第２ボタン嵌入孔３６を示したが、第１係止体、第２係止体、第１被係止体、第２被係止体は実施例に限定されるものでなく、互いに係止できる物であればよく、例えばフックやマジックテープ（登録商標）等でもよいことは勿論である。
【００１２】
なお、実施例では上掛けとしてタオルケット２を示したが、上掛けはタオルケット２に限定されるものではなく、夏掛け布団や毛布等でもよいことは勿論である。
また、実施例では上掛け剥がれ防止具１０を１つ使用した場合を示したが、上掛け剥がれ防止具１０を複数使用してもよいことは勿論である。
また、実施例では上掛け剥がれ防止具１０の防止具本体１２を敷き布団１の上下方向と直交するように配設したが、第１ボタン１４と第２ボタン１６の取付位置を変えて防止具本体１２を敷き布団１の上下方向に対して斜めになるように配設してもよいことは勿論である。
【産業上の利用可能性】
【００１３】
本考案の上掛け剥がれ防止具は、寒い時期に使用する厚い掛け布団等が睡眠中に剥がれるのを防止する目的で使用することもできる。
【符号の説明】
【００１４】
１０    上掛け剥がれ防止具
１２    防止具本体
１４    第１ボタン
１６    第２ボタン
１８    プレート体
２０    第１プレート部
２２    第２プレート部
２４    蝶番
２６    第１バンド挿通部
２８    第２バンド挿通部
３０    第１バンド
３２    第２バンド
３４    第１ボタン嵌入孔
３６    第２ボタン嵌入孔
【図１】
0003163382.tif 000003
【図２】
0003163382.tif 000004
【図３】
0003163382.tif 000005